(57)【特許請求の範囲】
【請求項１】
昇降機の据付工事が終了した後に、この昇降機を複数の検査項目にわたって検査する検査員が用いる昇降機の検査作業支援装置において、
上記複数の検査項目を記憶する検査項目記憶手段と、この検査項目記憶手段に記憶される上記検査項目を表示する表示手段と、この検査項目のうちのいずれかを選択する指令を入力するとともに、この選択した検査項目の検査結果を入力する入力手段と、これらの検査項目および検査結果を記憶する検査実績情報記憶部と、この検査実績情報記憶部で記憶される情報を出力する出力手段と、検査実績情報記憶部に記憶される検査項目および検査結果の実績を集計する統計制御部と、この統計制御部の集計結果に基づいて、不良状態が報告された回数の多い順に上記検査項目および検査結果を記憶する要注意検査項目記憶部とを備え、この要注意検査項目記憶部に記憶される検査項目および検査結果を表示手段により表示するようにしたことを特徴とする昇降機の検査作業支援装置。
【発明の詳細な説明】
【０００１】
【産業上の利用分野】
本発明は、昇降機の据付工事が終了した後に、この昇降機を複数の検査項目にわたって検査する検査員が用いる昇降機の検査作業支援装置に関する。
【０００２】
【従来の技術】
一般に、ビルなどに新たに昇降機を据付けた後、昇降機の工事完了検査を行なわなければならないが、その際、検査員が据付現場で昇降機検査判定票に検査結果を記入して、この昇降機検査判定票の記録に基づいて上記の工事完了検査の合否判定を行なうようになっている。
【０００３】
図９はこの種の昇降機検査判定票の一例を説明する図である。
【０００４】
この図９に示す昇降機検査判定票には、図示しない昇降機の「納入先」欄１０１、「機種名」欄１０２、「検査項目」欄１０３、検査結果の不良項目についてその詳細を記入する「指示事項」欄１０４などが設けられている。
【０００５】
図９に示す昇降機検査判定票を用いて昇降機の検査を行なう場合に、検査員はこの検査判定票を昇降機の据付現場へ持参して、「検査項目」欄３ごとに昇降機の検査を行ない、その結果を該当する箇所に合否の判定結果として例えば「○」、「×」などの記号を記入する。そして、検査結果が不良と判定した検査項目に関しては、「指示事項」欄１０４に不良部位の名称、不良の状態等を詳細に記入する。
【０００６】
また、このようにして複数の昇降機の検査を行なった後、これらの昇降機の検査判定票を保管しておいて見直すことにより、特に、「指示事項」欄１０４に記入した検査項目で不良状態が発生しているかどうかを確認し、この不良状態が頻繁に発生していると判断された場合、特に注意を要する検査項目として上記の昇降機検査判定票に追加して設けるようになっている。
【０００７】
【発明が解決しようとする課題】
ところで、上述した従来技術では、検査員が昇降機の据付現場で昇降機検査判定票を記入する際、この記入作業に煩わしい手間を要し、検査員にかなりの負担となるとともに、昇降機の据付現場で記入することから上記の検査判定票を汚損したり紛失するという懸念もあった。
【０００８】
また、特定の検査対象箇所で不良状態が頻発している場合であっても、複数の昇降機の検査判定票を見直して複数の「指示事項」欄１０４の記入内容を検証する必要があるため、上記の頻発する不良状態に対して迅速に対応することが難しく、この不良状態を見逃すことも懸念されていた。
【０００９】
本発明はこのような従来技術における実情に鑑みてなされたもので、その目的は、昇降機の据付現場で記入する手間を要せずに、容易に検査結果の報告書を作成することのできるとともに、特定の検査対象箇所で頻発する不良状態に迅速に対応することのできる昇降機の検査作業支援装置を提供することにある。
【００１０】
【課題を解決するための手段】
上記目的を達成するため、本発明は、昇降機の据付工事が終了した後に、この昇降機を複数の検査項目にわたって検査する検査員が用いる昇降機の検査作業支援装置において、上記複数の検査項目を記憶する検査項目記憶手段と、この検査項目記憶手段に記憶される上記検査項目を表示する表示手段と、この検査項目のうちのいずれかを選択する指令を入力するとともに、この選択した検査項目の検査結果を入力する入力手段と、これらの検査項目および検査結果を記憶する検査実績情報記憶部と、この検査実績情報記憶部で記憶される情報を出力する出力手段と、検査実績情報記憶部に記憶される検査項目および検査結果の実績を集計する統計制御部と、この統計制御部の集計結果に基づいて、不良状態が報告された回数の多い順に上記検査項目および検査結果を記憶する要注意検査項目記憶部とを備え、この要注意検査項目記憶部に記憶される検査項目および検査結果を表示手段により表示する構成にしてある。
【００１１】
【作用】
本発明は、上記のように構成したので、検査項目記憶手段に記憶される複数の検査項目を表示手段により読出して表示し、これらの検査項目のうちのいずれかを検査員が入力手段を介して選択するとともに、この選択した検査項目の検査結果を入力すると、これらの検査項目および検査結果は、検査実績情報記憶部により記憶されて出力手段により出力される。これによって、昇降機の据付現場で記入する手間を要せずに、容易に検査結果の報告書を作成することができる。また、統計制御部により検査項目および検査結果の実績を集計し、この統計制御部の集計結果に基づいて、不良状態が報告された回数の多い順に検査項目および検査報告を要注意検査項目記憶部により記憶して表示手段により表示する。これによって、次回の昇降機の検査の際に、この表示を検査員が見て不良状態が報告された回数の多い検査項目に関して重点的に検査することにより、特定の検査対象箇所で頻発する不良状態に対して迅速に対応することができる。
【００１２】
【実施例】
以下、本発明の昇降機の検査作業支援装置の実施例を図に基づいて説明する。
図１は本発明の昇降機の検査作業支援装置の一実施例を示すブロック図、図２は図１の検査作業支援装置の斜視図、図３は図１の検査作業支援装置の処理手順を示すフローチャート、図４は図３の処理手順に含まれる不良状態名の選択入力操作を説明するフローチャート、図５は図３の処理手順に含まれる検査項目追加処理を説明するフローチャート、図６は図１の検査作業支援装置に備えられる表示手段により設置部位の名称を表示する状態を示す説明図、図７は図１の検査作業支援装置に備えられる表示手段により設置部位および検査対象箇所の各名称を表示する状態を示す説明図、図８は図１の検査作業支援装置により出力される検査項目の説明図である。
【００１３】
図１に示す本実施例の検査作業支援装置１０は、例えばマイコンからなっており、記憶手段、例えばＩＣカード１１が着脱可能に装着される制御手段１２と、この制御手段１２に接続される表示手段１３と、制御手段１２に操作信号を入力する入力手段１４と、制御手段１２によるデータ処理結果を出力する出力手段、例えば印字部１５などとからなっている。
【００１４】
上述したＩＣカード１１は、複数の検査項目を記憶する検査項目記憶手段、例えば設置部位名記憶部１１ａおよび検査対象箇所名記憶部１１ｂと、上記の検査項目ごとにあらかじめ定められる複数の不良状態の名称を記憶する状態データ記憶部１１ｃと、これらの検査項目および検査結果を記憶する検査実績情報記憶部１１ｄと、不良状態が報告された回数の多い順に検査項目および検査結果を記憶する要注意検査項目記憶部１１ｅとからなっている。
【００１５】
上記の設置部位名記憶部１１ａには、昇降機を構成する設置部位、例えば図２に示すように、「機械室」、「ケージ上」、「塔内」、「ドア」等の名称があらかじめ記憶され、同様に上記の検査対象箇所名記憶部１１ｂには、上記の設置部位、例えば「ドア」に属する複数の検査対象箇所、「ドアモータ」、「ドアマシン」、「ドア開閉機構」、「ケージドア」、「ハンガーレール」、「ドアロックスイッチ」等の名称があらかじめ記憶されており、上記の状態データ記憶部１１ｃには、「クリアランス不良」、「セット調整不良」等の不良状態の名称があらかじめ記憶されている。さらに、他の設置部位、例えば「機械室」に関しても、「監視盤本体」、「ターミナル端子部」等の検査対象箇所の名称が検査対象箇所名記憶部１１ｂに記憶されるとともに、「誤配線」等の不良状態の名称が状態データ記憶部１１ｃに記憶されている。
【００１６】
上述した制御手段１２は、図１に示すように、表示手段１３で表示される画面を制御する画面制御部１２ａと、入力手段１４から入力される操作信号に応じてデータ処理を行なうファイル選択制御部１２ｂと、ＩＣカード１１の動作を制御する記憶制御部１２ｃと、印字部１５の動作を制御する印字制御部１２ｄと、検査実績情報記憶部１１ｄに記憶される検査項目および検査結果の実績を集計する統計制御部１２ｅとからなっている。
【００１７】
上述した表示手段１３は、図２に示すように、設置部位名記憶部１１ａに記憶される設置部位の名称を表示する第１の表示部１３ａと、検査対象箇所名記憶部１１ｂに記憶される検査対象箇所の名称を表示する第２の表示部１３ｂと、状態データ記憶部１１ｃに記憶される不良状態の名称を表示する第３の表示部１３ｃと、これらの設置部位、検査対象箇所および不良状態の各名称を表示する第４の表示部１３ｄとを有している。
【００１８】
上述した入力手段１４は、多数のかな・英数字キー１４ａと、例えば４個のファンクションキー１４ｂ〜１４ｅとを備えている。
【００１９】
この実施例では、図３に示す処理手順にしたがって検査員が昇降機の検査不良項目を記録するようになっている。すなわち、まず手順Ｓ１として「Ｆ１」ファンクションキー１４ｂを操作して検査不良登録画面の設定を行なうと、画面制御部１２ａの制御により表示手段１３で検査不良登録画面が設定され、手順Ｓ２として、ファイル選択制御部１２ｂの制御により設置部位名記憶部１１ａを選択し、この設置部位名記憶部１１ａからすべての設置部位の名称を読出して第１の表示部１３ａで表示する。そこで、手順Ｓ３として検査員はこの第１の表示部１３ａの表示を見て、例えば設置部位の名称「ドア」を選択してその識別番号「４」を入力手段１４のかな・英数字キー１４ａを介して入力すると、図６に示すように、第４の表示部１３ｄの左側で設置部位の名称「ドア」が表示される。次いで、手順Ｓ４として、ファイル選択制御部１２ｂの制御により検査対象箇所名記憶部１１ｂを選択し、この検査対象箇所名記憶部１１ｂから上記の設置部位に属する複数の検査対象箇所の名称を読出して第２の表示部１３ｂで表示する。そこで、手順Ｓ５として検査員はこの第２の表示部１３ｂの表示を見て、例えば検査対象箇所「ハンガーレール」を選択してその識別番号「５」をかな・英数字キー１４ａを介して入力すると、図７に示すように、第４の表示部１３ｄの左側および中央部で設置部位の名称「ドア」と検査対象箇所の名称「ハンガーレール」とが表示される。
【００２０】
次いで手順Ｓ６として、ファイル選択制御部１２ｂの制御により状態データ記憶部１１ｃを選択し、この状態データ記憶部１１ｃから不良状態の名称を読出して第３の表示部１３ｃで表示する。そこで、手順Ｓ７として検査員はこの第３の表示部１３ｃの表示を見て、例えば不良状態の名称「セット調整不良」を選択してその識別番号「２」をかな・英数字キー１４ａを介して入力すると、図８に示すように、第４の表示部１３ｄで設置部位の名称「ドア」、検査対象箇所の名称「ハンガーレール」および不良状態の名称「セット・調整不良」が表示され、これらの検査実績情報が検査実績情報記憶部１１ｄに記憶される。
【００２１】
次いで手順Ｓ８として、この検査実績情報記憶部１１ｄに記憶される検査実績情報に基づいて、検査項目追加処理を行なうことにより、「ドア」の「ハンガーレール」に関する検査結果の記録を終了した後、同様の手順で他の設置部位および検査対象箇所について検査不良項目を順次記録するようになっている。その後、検査員が検査作業支援装置１０をサービス拠点に持ち帰って印字部１５により検査報告書を印字したり、あるいはＩＣカード１１のみをサービス拠点に持ち帰って他の印字部などにより検査報告書を印字するようになっている。その結果、上記の報告書には「ドア  ハンガーレール  セット・調整不良」という不良状態に関する文章が記載される。
【００２２】
次に、上記の手順Ｓ３における設置部位名の選択入力操作に関して図４を用いて詳しく説明する。すなわち、手順Ｓ１１として設置部位の名称「ドア」を選択してその識別番号「４」をかな・英数字キー１４ａを介して入力すると、手順Ｓ１２として上記の識別番号「４」に対応する設置部位の名称「ドア」が第４の表示部１３ｄで表示される。そこで手順Ｓ１３としてこの第４の表示部１３ｄで表示される選択項目が正しいことを確認して、手順Ｓ１４として設置部位の名称「ドア」を検査実績情報記憶部１１ｄで記憶する。一方、上記の手順Ｓ１３で選択項目に誤りがあった場合、手順Ｓ１５として「Ｆ２」ファンクションキー１４ｃを介して消去操作を行なうと、手順Ｓ１６として第４の表示部１３ｄで表示される設置部位の名称「ドア」が消去されるので、上記の手順Ｓ１１に戻ってもう一度、選択項目の識別番号を入力する。また、上記の手順Ｓ５における検査対象箇所名の選択入力操作、および上記の手順Ｓ７における不良状態名の選択入力操作に関しても同様の手順Ｓ１１〜Ｓ１６で処理するようになっている。
【００２３】
さらに、上記の手順Ｓ８における検査項目追加処理に関して図５を用いて詳しく説明する。すなわち、手順Ｓ２１として検査実績情報記憶部１１ｄに記憶される検査実績情報を統計制御部１２ｅにより集計して同一文章の実績回数をカウントし、手順Ｓ２２として、統計制御部１２ｅの集計結果に基づいて、不良状態が報告された回数の多い検査項目および不良状態名を選択し、手順Ｓ２３としてこの選択した検査項目を追加するかどうか判定して、必要と判断される場合、手順Ｓ２４として要注意検査項目記憶部１１ｅに記憶する。その後に行なう検査の際に、図８に示すように、所定の検査項目とともに上記の追加項目を表示し、この表示を検査員が見て、不良状態が報告された回数の多い検査項目に関して重点的に検査するようになっている。
【００２４】
このように構成した実施例では、昇降機の据付現場で記入する手間を要せずに、容易に検査結果の報告書を作成できる。また、第３の表示部１３ｃで表示される不良状態の名称を選択して入力手段１４を介して入力することにより、不良状態を説明する表現を定型化することができる。さらに、不良状態が報告された回数の多い検査項目および不良状態名が要注意検査項目記憶部１１ｅに記憶されるので、上記の検査項目および不良状態名の表示を検査員が見て、この検査項目に関して重点的に検査することにより、特定の検査対象箇所で頻発する不良状態に迅速に対応することができる。
【００２５】
【発明の効果】
本発明は以上のように構成したので、昇降機の据付現場で記入する手間を要せずに、容易に検査結果の報告書を作成することができ、したがって、検査員の負担を軽減できるとともに検査結果の報告書の汚損や紛失を防止できるという効果がある。また、表示手段の表示を検査員が見て不良状態が報告された回数の多い検査項目に関して重点的に検査することにより、特定の検査対象箇所で頻発する不良状態に対して迅速に対応でき、したがって、この不良状態を確実に見つけることができる。
【図面の簡単な説明】
【図１】本発明の昇降機の検査作業支援装置の一実施例を示すブロック図である。
【図２】図１の検査作業支援装置の斜視図である。
【図３】図１の検査作業支援装置の処理手順を示すフローチャートである。
【図４】図３の処理手順に含まれる不良状態名の選択入力操作を説明するフローチャートである。
【図５】図３の処理手順に含まれる検査項目追加処理を説明するフローチャートである。
【図６】図１の検査作業支援装置に備えられる表示手段が設置部位の名称を表示する状態を示す説明図である。
【図７】図１の検査作業支援装置に備えられる表示手段が設置部位および検査対象箇所の各名称を表示する状態を示す説明図である。
【図８】図１の検査作業支援装置により出力される検査項目の説明図である。
【図９】従来の昇降機検査判定票の一例を説明する図である。
【符号の説明】
１０  検査作業支援装置
１１  ＩＣカード（記憶手段）
１１ａ  設置部位名記憶部
１１ｂ  検査対象箇所名記憶部
１１ｃ  状態データ記憶部
１１ｄ  検査実績情報記憶部
１１ｅ  要注意検査項目記憶部
１２  制御手段
１２ｂ  ファイル選択制御部
１２ｅ  統計制御部
１３  表示手段
１４  入力手段
１５  印字部（出力手段）
【図１】
0003539800.tif 000002
【図２】
0003539800.tif 000003
【図３】
0003539800.tif 000004
【図４】
0003539800.tif 000005
【図５】
0003539800.tif 000006
【図６】
0003539800.tif 000007
【図７】
0003539800.tif 000008
【図８】
0003539800.tif 000009
【図９】
0003539800.tif 000010